(57)【要約】【課題】ドアハンドルの加力点に生ずるたわみを減少させドア開閉時に手がドア面に当たらないようにすると共にドアハンドルへの操作感をよくし、使い易く、かつ丈夫であり、しかも経済的であって見映えのよいロングドアハンドルを提供し、更に簡便でかつ強固なロングドアハンドルの取付け構造を提供する。【解決手段】ドア３の上下部にそれぞれ2点で支持される支持部２を有する長さ２２００ｍｍ〜３２００ｍｍのロングドアハンドル１を有する。ロングドアハンドル１は、その長さＬと、上下の2点支持部間の長さＬ１がＬ１=Ｌ（１／１０７〜１／２２）の関係に形成されている。これにより、ドアの開閉時にロングドアハンドルの加力点に生ずるたわみをドア面の垂直方向において１５ｍｍ以内に、ドア面の平行方向において３０ｍｍ以内にすることができる。【選択図】図１
2010196307.tif 000002
【特許請求の範囲】
【請求項１】
長尺の開きドアの上下部においてそれぞれ2点で支持される支持部を有する長さ２２００ｍｍ〜３２００ｍｍのロングドアハンドルであって、そのドアの開閉時にロングドアハンドルの加力点に生ずるたわみがドア面に垂直方向において１５ｍｍ以内でドア面の平行方向において３０ｍｍ以内となるようロングドアハンドルの長さＬと、上下の2点支持部間の長さＬ１がＬ１=Ｌ（１／１０７〜１／２２）の関係に形成されていることを特徴とするロングドアハンドル。
【請求項２】
ロングドアハンドルの両端部をドアの上下框部で支持した請求項１に記載のロングドアハンドル。
【請求項３】
ロングドアハンドルの加力点部分に外方に凸に形成した湾曲部を設けた請求項１ないし２のいずれかに記載のロングドアハンドル。
【請求項４】
上下の2点支持部間の長さＬ１において、下部の2点支持部間の長さを上部の2点支持部間の長さより長くした請求項１ないし３のいずれかに記載のロングドアハンドル。
【請求項５】
請求項１ないし４のいずれかに記載のロングドアハンドルを１対設け、該ロングドアハンドルの支持部に取付足部を固定し、上記ロングドアハンドルの各2点支持部を上記取付足部を介してボルトでドアに支持固定するようにしたことを特徴とするロングドアハンドルの取付け構造。
【請求項６】
対向する他方のロングドアハンドル内にネジ穴を設け、該ネジ穴にボルトのネジ部を係合させた請求項５に記載のロングドアハンドルの取付け構造。
【請求項７】
ロングドアハンドルの取付け表面にボルトの頭部を覆うキャップを設けた請求項５または６に記載のロングドアハンドルの取付け構造。
【発明の詳細な説明】
【技術分野】
【０００１】
本発明は、長尺の開きドアに取り付けられるロングドアハンドル及びそのドアハンドルの取付け構造に関する。
【背景技術】
【０００２】
近年、ビルやデパート、病院、マンション等の室内外の出入口に、２２００ｍｍ〜３２００ｍｍの長さを有する長尺の開きドアが用いられており、この長尺のドアにスパンの長いドアハンドルが取付けられている。
この種のドアハンドルとしては、ドアハンドルをその上下両端部でドアに支持するもの（特許文献１）と、図１０に示すようにドアハンドル１０１をその上下両端部１０２と中間部１０３でドア１０４でドアに支持するものが知られている。
【先行技術文献】
【特許文献】
【０００３】
【特許文献１】特許第４２０３７９４号公報（図１、図２）
【発明の概要】
【発明が解決しようとする課題】
【０００４】
ドアハンドルをその両端部でドアに支持するもの（特許文献１）は、支持間のスパンが長いので、ドアハンドルを押した際に加力点部分（握り部分）が大きくたわんで手がドアに当たってしまうことがあり、また、たわみが大きいと、ドアを開閉する際の操作感がよくない（力が吸収され力が入らないような感覚）。
また、ドアハンドルに高い剛性を持たせるために、特殊の材料を用いたり、肉厚のものにしたりすると、必然的にコスト高となり、重量が嵩んだり、握り部が太くなり握り難くなったりする。
【０００５】
一方、ドアハンドル１０１を上下両端部１０２と中間部１０３で支持するものは、このように中間部で支持しているので大きくたわむことがないが、この中間部１０３に取付足部１０５が取付けられているので、ドアハンドルを取付ける際にドア１０４の中央部にネジ穴が付き、その後にドアハンドルを交換する際にこの部分が傷跡として残ってしまうことがある。また、この中間部１０３の取付足部１０５がドアを掃除する際に妨げとなったり、全体の見映えを悪くしたりすることがある。
【０００６】
本発明は、これらの問題点を解消するものであって、ドアハンドルの加力点に生ずるたわみを減少させ、ドア開閉時に手がドア面に当たらないようにすると共にドアハンドルへの操作感をよくし、使い易く、かつ丈夫であり、しかも経済的であって見映えのよいロングドアハンドルを提供しようとするものであり、またこのロングドアハンドルを用い、簡便であり、かつ強固なロングドアハンドルの取付け構造を提供しようとするものである。
【課題を解決するための手段】
【０００７】
ロングドアハンドルにおいて、これを中間で支持することなく、ドアハンドルの加力点に生ずるたわみを減少させる方法として、いろいろと模索し、試算、試作（試験）、研究した結果、下記のような手段を見出すことができた。
【０００８】
その結果として、ロングドアハンドルを両端部で支持する場合において、両端部をそれぞれ１点で支持する場合と、両端部をそれぞれある一定の距離を設けて２点で支持する場合では、ドアハンドルの加力点に生ずるたわみにかなりの差が現れるということを知見した。即ち、ロングドアハンドルを両端部において、一定の距離をもってそれぞれ２点で支持した場合には、ドアハンドルの加力点に生ずるたわみがかなり小さくなるということが判った。
【０００９】
このような結果は、次のような試算、試験を行うことによって得ることができた。
図７及び図８に示すように、ロングドアハンドルを連続梁に見たて、この梁を支持点Ａ、Ｂ、Ｃ、Ｄにおいてボルトで支持する場合としてモデル化し、ドアハンドルの加力点に荷重Ｐが作用した場合にその支持点に生じるたわみδを算出した。
この試算例では、ロングドアハンドルとして一般に用いられているφ２４（ｍｍ）、ｔ３（ｍｍ）のＳＵＳ材パイプ（ＳＵＳ丸）と、縦横の幅２５（ｍｍ）×３４（ｍｍ）のアルミ角棒で形成された長さがＬ（２２００ｍｍ〜３２００ｍｍ）の部材を用い、ボルト間の長さをＬ１（３０ｍｍ〜１００ｍｍ）、Ｌ４（３０ｍｍ〜１００ｍｍ）とし、ドアハンドルの加力点の位置（通常ドアハンドルを握る位置）Ｌ５（１０００ｍｍ）に５８８Ｎ（６０ｋｇｆ）の荷重Ｐををかけた場合の加力点のたわみδを計算した（図９）。なお、この場合、上記梁の長さを概略ロングドアハンドルの長さとして計算した。
【００１０】
上記図９において、先ずロングドアハンドルの両端部をそれぞれ２点で支持する場合（試算番号１、７）と、両端部をそれぞれ１点で支持する場合（試算番号１０、１１）を比較して見ると、ドアハンドルの加力点に生じる曲げモーメントの相違により、２点で支持する場合のたわみが１点で支持する場合のたわみの約１／５〜１／５．５になっており、このことからロングドアハンドルの両端部をそれぞれ２点で支持すれば、たわみをかなり減少させることができることが判明した。
【００１１】
また、上記図９において、ＳＵＳ丸及びアルミ角棒のたわみ量は、３．７ｍｍ〜１０．８ｍｍとなっており、これよりたわみが約１１ｍｍ以内になっていることから、ロングドアハンドルの材料や断面形状、支持部の強度、安全面等を考慮し、たわみ量を１５ｍｍ以内にすれば、ロングドアハンドルを押した際に手がドア面に当たらないし、強度上も問題がないという結論を得た。また、２点支持部のボルト間の長さＬ１を長くすれば、たわみがより少なくなることが判った。
【００１２】
更に、上記アルミ角棒の場合は、断面が矩形であって鉛直方向（ドア面に対し垂直方向）に対して水平方向（ドア面に対し平行方向）の幅を小さくしているので、この水平方向（ドア面に対し平行方向）のたわみが大きくなっている。上記試算ではたわみが８．６ｍｍ〜２０．１ｍｍになっているので、このたわみの許容量を考慮すると共に、Ｍ２、Ｍ３、ＭＰ≧Ｚσ（Ｚ：ドアハンドルの断面係数、σ：ドアハンドルの許容応力）と、Ｒ１、Ｒ２、Ｒ３、Ｒ４≧Ａσ（Ａ：接合ボルトの軸断面積）及びＲ１、Ｒ２、Ｒ３、Ｒ４≧Ａτ（τ：許容せん断応力）等の強度条件を許容するようにロングドアハンドルの材料や断面形状、支持部の強度、接合ボルトの強度や安全面等を考慮し、たわみを３０ｍｍ以内にすれば、ロングドアハンドルを斜め方向や引き戸方向に押したり引いたりしてもロングドアハンドルが変形し曲がってしまったりドアハンドルが大きく振れたりすることがなく、かつ強度上も問題がないという結論に達した。
【００１３】
上記ロングドアハンドルは、片開きドアや両開きドア等のドアの適当な位置に取付けることができるが，例えば木製やプラスチック製のドアの場合にはその両端部を上框部と下框部に固定したり、ガラス製のドアの場合には上部と下部のフレームに固定したりすると、より安定した強固な固定を得ることができる。このようにドアの上框部と下框部やフレームの上部と下部にボルトで固定する場合、框部やフレームの幅（ドアの長手方向の幅）は、一般に約８０ｍｍから１８０ｍｍであるから、ボルトの取付け位置や取付け部の強度、バランス等を考慮して框部やフレームの上下端よりそれぞれ約２５ｍｍ〜４０ｍｍ内側にボルトの取付位置を設けるのが適当である。従って、ロングドアハンドルの両端部で固定する２点のボルト間の長さは、約３０ｍｍ〜１００ｍｍとすることが好ましい。この寸法は、上記したようにたわみが１５ｍｍ以内となる寸法でもある。この場合における両端部のボルト間の長さＬ１とロングドアハンドルの長さＬとの関係は、３０／３２００１≒／１０７、１００／２２００＝１／２２であるから、Ｌ１＝Ｌ（１／１０７〜１／２２）である。なお、上記のようにロングドアハンドル及びボルトの強度、ボルトの取付強度、安全面等を考慮すると、２点のボルト間の長さを約６０ｍｍ〜１００ｍｍとすることが更に好ましく、その場合のボルト間の長さＬ１とロングドアハンドルの長さＬとの関係は、６０／３２００１≒１／５４、１００／２２００＝１／２２であるから、Ｌ１＝Ｌ（１／５４〜１／２２）である。
【００１４】
また、上記ロングドアハンドルをドアの両側面にそれぞれボルトで固定する際には、先ずロングドアハンドルの両端部に取付足部をネジやボルト等で固定しておき、そのロングドアハンドルを上記取付足部を介してボルトで固定するとよい。
【００１５】
本発明は、上記したように、長尺ドアの上下部にそれぞれ2点で支持される支持部を有する長さ２２００ｍｍ〜３２００ｍｍのロングドアハンドルとし、ロングドアハンドルの長さＬと、上下の2点支持部間の長さＬ１がＬ１=Ｌ（１／１０７〜１／２２）の関係に形成することにより、ドアの開閉時にロングドアハンドルの加力点に生ずるたわみがドア面の垂直方向において１５ｍｍ以内で、ドア面の平行方向において３０ｍｍ以内となるようにしたものである。
【００１６】
また、本発明は、ロングドアハンドルの両端部をドアの上下框部で支持するようにしたものである。
【００１７】
更に、本発明は、ロングドアハンドルの加力点部分に外方に凸の湾曲部を設け、ロングドアハンドルのたわみを一層少なくしたものである。
【００１８】
また、本発明は、上下の2点支持部間の長さＬ１において、下部の2点支持部間の長さを上部の2点支持部間の長さより長くし、ロングドアハンドルのたわみを更に減少させたものである。
【００１９】
更に、本発明は、上記ロングドアハンドルを１対設け、該ロングドアハンドルの支持部に取付足部を固定し、上記ロングドアハンドルの各2点支持部を上記取付足部を介してボルトでドアに支持固定するようにしたものである。
【００２０】
また、本発明は、対向する他方のロングドアハンドル内にネジ穴を設け、該ネジ穴にボルトのネジ部を係合させるようにしたものである。
【００２１】
更に、本発明は、ロングドアハンドルの取付け表面にキャップを設け、ボルトの頭部を覆うるようにしたものである。
【発明の効果】
【００２２】
本発明は、上記のようにロングドアハンドルの両端部がそれぞれ２点で支持されているので、ドアハンドルを押す際にその加力点におけるたわみ量を１５ｍｍ以内に押えることができ、これによってドアの開閉時の操作感をよくすると共に、ドアハンドルを握った手がドア面に当たることを防ぐことができる。また、ドアハンドルをドア面に対し斜め方向や平行方向に押したり引いたりしても、たわみを３０ｍｍ以内に押えることができ、ドアハンドルの塑性的な変形を防ぐことができる。更にロングドアハンドルはその上下部のみで支持されその中間部では支持されていないので、ドアへの取付が簡易であると共にドアの掃除がし易く、また取付部がすっきりしていて見映えがよく、かつ従来のようにドアの中間位置に取付用の傷を付けることがない。
【００２３】
また、ロングドアハンドルをドアの上下框部に強力かつ安全に装着することができ、ロングドアハンドルの加力点部分を外方に凸に湾曲させたり、ハンドルの２点支持部において下部の2点支持部間の長さを上部の2点支持部間の長さより長くしたりして、加力点での曲げ強度を増したり、ハンドルのたわみを一層減少させたりすることができる。
【００２４】
更に、ロングドアハンドルの支持部に取付足部を固定しておき、そのロングドアハンドルの各2点支持部を上記取付足部を介してボルトでドアに固定することにより、迅速かつ確実に固定することができる。また、取付足部内にネジ穴を設けておくと、ボルトのネジ部を取付足部内に納めることができすっきりし見映えもよい。更にロングドアハンドルの取付け表面を覆うキャップを設けると、ボルト頭部の目隠しとなり、一層見映えがよい。
【図面の簡単な説明】
【００２５】
【図１】本発明の実施例であって、ロングドアハンドルをドアに取付けた状態を示す斜面図である。
【図２】ロングドアハンドルをドアに取付けた状態を示す部分拡大断面図である。
【図３】図２における平面図である。
【図４】ロングドアハンドルをドアに取付けた状態を示す他の部分拡大断面図である。
【図５】図４における平面図である。
【図６】ロングドアハンドルの他の例を示す側面図である。
【図７】ロングドアハンドルの両端部をそれぞれ２点で支持した場合を示す説明図であり、（Ａ）は部分概要図、（Ｂ）は構造モデル図、（Ｃ）は曲げモーメント図、（Ｄ）は変形図である。
【図８】ロングドアハンドルの両端部をそれぞれ１点で支持した場合を示す説明図であり、（Ａ）は部分概要図、（Ｂ）は構造モデル図、（Ｃ）は曲げモーメント図、（Ｄ）は変形図である。
【図９】各種ロングドアハンドルに生ずる曲げモーメント及びたわみ量を示す試算表である。
【図１０】従来のロングドアハンドルの取付状態を示す斜面図である。
【発明を実施するための形態】
【００２６】
ロングドアハンドル１は、図１に示すように、ステンレス（ＳＵＳ）やスチール、アルミニウム等の金属で断面が丸型、角型の中実、中空状に形成された約２２００ｍｍ〜３２００ｍｍの長さＬの棒状もので、そのロングドアハンドル１の両端部に形成される支持部２がそれぞれ長尺のドア３の上框部４と下框部５等に取付足部６を介してボルト７で固定されている。その際、ロングドアハンドル１の支持部２間Ｌ１はそれぞれ６０ｍｍであり、その２点の位置でボルト７を用いてロングドアハンドル１をドアに固定している。
【００２７】
図２及び図３に示すロングドアハンドル１は、外形φ３４ｍｍ、厚さｔ３ｍｍ、全長３２００ｍｍのステンレス（ＳＵＳ）製パイプで形成されているもので、その両端部のボルト７取付位置に丸棒の支持杆８を挿入しこれを溶接等によって固定している。ロングドアハンドル１の両端部には、取付足部６がネジ９（この例ではナベ小ネジ）で固定されている。この場合、ネジ９はその頭部１０が凹部１１に挿入されており、このネジ９には、緩み止め用としてバネ座金１２が設けられている。
【００２８】
ロングドアハンドル１をドア３に取り付ける場合は、１対のロングドアハンドル１の両端部をそれぞれドアの両面から上框部４及び下框部５に当て、一方のロングドアハンドル１の両端部からボルト７をそれぞれ支持杆８、取付足部６の通し孔１３、１４、１５に挿入し、ボルト７のネジ部１６を他方のロングドアハンドル１の両端部内に形成したネジ孔１７に係合させて固定している。この場合、ボルト７はその頭部１８が凹部１９に挿入されており、ボルト７には、緩み止め用としてバネ座金２０が設けられている。また、ボルトの頭部１８表面には、ロングドアハンドル１の外表面と面位置になるようにキャップ２１が設けられており、これによってボルトの頭部を隠し見映えをよくしている。なお、上記ボルトを通しボルトとし、これをナットで締結する場合は、このナット部を覆うキャップを設けるようにしてもよい。
【００２９】
実施例では、上記ボルト７をステンレス（ＳＵＳ）ＣＡＰ（六角穴付きボルト）とし、また上記ネジ９をステンレス（ＳＵＳ）製としているが、その他の一般にボルトやネジとして使用されている種類のものを用いることができる。
【００３０】
また、この例では、上記取付足部の高さを３４ｍｍとしているが、ドアに装着したロングドアハンドル１を加力点位置でドアに対して垂直方向に押すと、その位置でのたわみが上記図９の試算番号２に示すたわみδ（８．２ｍｍ）内で１５ｍｍ以内に納まるので、上記取付足部の高さでもドアハンドルを握った手がドアに当たることがなく、十分な余裕をもって開閉することができる。なお、上記取付足部の高さについは、ドアハンドルを押した際に手がドアに当たらない程度の寸法に調整することが可能である。
【００３１】
図４及び図５に示すロングドアハンドル１は、２５ｍｍ×３４ｍｍの断面長方形で、全長２４００ｍｍのアルミニウム角棒（中実）で形成されているもので、上記図２及び図３に示す例とはその両端部のボルト取付位置に丸棒の支持杆８が挿入されている点を除き同様の構成を有しているので、同様の部分については同一の符号を付けることによってその説明を省略する。
【００３２】
このアルミニウム角棒のロングドアハンドル１において、ドアハンドルを加力点位置でドアに対して垂直方向に押すと、その位置でのたわみが図９の試算番号５に示すたわみδ（６．２ｍｍ）内で１５ｍｍ以内に納まるので、ドアの開閉時にドアハンドルを握った手がドアに当たることがなく、十分な余裕をもって開閉することができる。また、このロングドアハンドル１は横引き方向（ドア面に平行方向）の剛性が低いのでその方向に押す（あるいは引く）と、その位置でのたわみが図９の試算番号５に示すたわみδ（１１．５ｍｍ）内で３０ｍｍ以内に納まり、ロングドアハンドル１が塑性的な変形をすることがなくドアハンドルが曲がった状態のままになることはない。
【００３３】
なお、上記実施例のように、ロングドアハンドル１は、その両端部でそれぞれ２点で支持されていてその中間部で支持されていないので、すっきりしていて見映えがよい。
【００３４】
図６に示すものは、ロングドアハンドル１の加力点部分に外方に凸の湾曲部２２を設けたもので、これによってドアハンドルの握り部の曲げ強度を高め、一層たわみ難くしている。
【符号の説明】
【００３５】
１  ロングドアハンドル    ２  支持部    ３  ドア    ４  上框部    ５  下框部    ６  取付足部    ７  ボルト    ２１  キャップ    ２２  湾曲部
【図１】
2010196307.tif 000003
【図２】
2010196307.tif 000004
【図３】
2010196307.tif 000005
【図４】
2010196307.tif 000006
【図５】
2010196307.tif 000007
【図６】
2010196307.tif 000008
【図７】
2010196307.tif 000009
【図８】
2010196307.tif 000010
【図９】
2010196307.tif 000011
【図１０】
2010196307.tif 000012